(57)【要約】      （修正有）【課題】スライスされたパン片切断分け及び調味料類入れ込みくぼみ付加造作台所器具を提供する。【解決手段】パン片を平面に設置する下側ユニット部及び手動で押し下げる上側ユニット部並びに上側ユニット部及び下側ユニット部を相互に平行状態を保ち接圧接合していくための折り畳み式連結部からなる。上側ユニット部は手押し下げ移動接圧側で、裏面に切断刃２及び２つの調味料類入れ込みくぼみ付加造作用凸部面３を形成する。下側ユニット部は箱型でパン片を平面に設置する固定側で、表面に切断刃収納溝７及び２つの調味料類入れ込みくぼみ付加造作用の凹部面８を形成する。上記の上側ユニット部及び下側ユニット部は、上側ユニット部の裏面右側縁部及び下側ユニット部の表面左側縁部とで連結されている。【選択図】図８
0003188972.tif 000002
【実用新案登録請求の範囲】
【請求項１】
スライスされた食パン又はトースト及びサンドイッチ用パン等のパン片を食べる直前において、食べやすい一口サイズに均等分割に切断するための切断刃を有していること、並びに各切断パン片毎に緩やかな接圧用の凸面部分を有している上側ユニットと、片方、当該上側ユニットと内向き折れジャバラ式により連結された切断前の上記パン片等を設置するための下側ユニットから成る。当該下側ユニットには、上側ユニットの切断刃に接合する切断刃収納溝を有すること、並びに上側ユニット凸面部に接合する緩やかな凹面部を切断されたパン片数分有したものとなっている。上記上側ユニットと下側ユニットの２ユニットは、上側ユニットを手動で押圧して下側ユニットと接合する形と成っている。当考案は、上記パン片等を食べやすい一口サイズにするために上側と下側の両ユニットの間に上記パン片を挟んで上側ユニットを手動押し下げ接圧してパン片を均等分割に切断し、上下ユニット凹凸両面部の接圧力で調味料類受入れ用窪場を付作する。切断と同時に切断された各パン片の片表面に食べる時パン片の調味料類になる物を入れ込む緩い凹形の窪場を付作ることにより、一器具一回一手動でパン片切断と調味料類受入れ用窪場付作の同時二機能を果たせることを特徴とする台所器具である。
【考案の詳細な説明】
【技術分野】
【０００１】スライスされた食パン又はトースト及びサンドイッチ等の食べ方は、市販されたサイズのままのものに調味料類を付けてかぶり付いて食べるか、又は該サイズのものを指で千切りながら一口ずつ食べるか、又はまな板と包丁を用意して自分の食べやすいサイズに切り分けたりして食べるかなどである。上記のような食べ方では、子どもや女性では口周りの汚れや口紅などが気になること、パン屑が多く出ること、調理や後始末に手間がかかり無駄な時間を費やすることなど不便がある。殊に時間が限定される朝食時間にとっては不便や不都合な事項が多い。これらの食事上の不便を無くすため市販スライスパン片を食べる直前に食べ易い一口サイズに簡便に均等分割に切断し、かつ切断と同時に各パン片に調味料類受入れ用窪場を一器具一回手動で付作することにより、上記の食べる際及び後片付けの不便不都合事項を解消するためのパン片用の調理器具に関するものである。
【背景技術】
【０００２】本来、スライスされた食パンは、トーストとして又はサンドイッチとして食べられるのがその大部分を占める。パンメーカーの市販されているスライスされたものをどのように調理して食べるかは最終的には消費者個人個人の食事態度や食べ方自体などの自由意思とか自由裁量次第によって好きなように当たり前のような意識で決められている。しかし、一方、市販されているスライスサイズのものをそのままで食べているようなことに対しては、上記記載のように不便な事項が多く発生し、解消されていない問題点があることに日常の消費生活感覚から察知し、不便を感じ取っている消費者も多い。従来、スライスされたパン片等については食べる時における上記記載のような不便さの発生を解消するにいたるだけの新しい改善改良が取られていない。パンメーカーとしては食べる際のサイズは不便や手間がかかっても消費者がやるべきこととして当たり前となっている。もともと、子ども用も大人用も同一サイズであることには不都合が多く、既成のパン片サイズの点にはパンメーカーの関心がほとんど見られないのが今日の現状となっている。
【考案の概要】
【考案が解決しようとする課題】
【０００３】従来、スライスされた食パン又はトースト及びサンドイッチ用パン等のパン片をパンメーカー市販のスライスされたサイズのパン片そのものをそのまま食べた場合、口周りの汚れ、パン屑か多く出る、調理に使用した後の包丁やまな板の後始末、調理時間など不便な事項が発生する。食べ終わった後の後始末には手間がかかり、無駄な時間を費やしなくてはならない。殊に朝食であるため使用時間が限定されている場合が多いのが通例である。【０００４】本考案の目的は、パンメーカー市販のスライスされたパン片そのものをそのままの状態で食べるのではなく、食べる直前に該パン片を食べ易いように一口サイズに均等分割に切断し、同時に一回一手動で調味料類の受入れ用窪場を付作し、一器具一手動で手早く該パン片の風味を損なうことなく食べることができて、上記記載の不便な事項を解消することである。従来、パンメーカーが製造したスライスされたパン片のサイズについては食べ難さがあっても、当たり前のこととして見過ごされている。食べる方法の改善・改良を加えて食べようとしなかったものである。本考案は、パンメーカー側の製造改善技術に頼ることは期待できないこともあり、食べる側自身である消費者側による消費生活の発想で新規に考案することにより、綺麗な食べ易さと共に食べた後の不便な事項や時間の節約を解消しようとするものである。
【課題を解決するための手段】
【０００５】スライスされた食パン又はトースト及びサンドイッチ用パン等のパン片を食べる直前において、食べ易い一口サイズに均等分割に斜め切り分け切断するための切断刃を有しており、及び切断されたパン片毎に調味料類受入れ用窪場を付作るための緩やかな半円形の凸面部を有している上側ユニットと並びに該切断刃を収納する溝及び均等分割に切断されたパン片毎に調味料類受入れ用窪場になる緩やかな半円形の凹面部を有した下側ユニットの上下両ユニットから成る。該上側と下側の両ユニットは、内向き折れジャバラ式の連結部分で繋がっており、下側ユニット内面の切断刃収納溝および二つの調味料類受入れ用窪場に合うように該切断するべきパン片等を平面に置き、上側ユニットを手押で押し下げながらパン片を上下ユニットで圧接して切断する。該手押し同時に調味料類受入れ用窪場を付作する。該上下両ユニットの接合時は、切断刃と切断刃受入れ溝とが、並びに凸面部と凹面部とがそれぞれに接合する。サンドイッチのようにパン片を何枚も重ねた場合は、上下ユニット連結部の内向き折れ部分を開いた寸法と等しいパン片の重ね分の高さのパンを上下ユニットで挟み込んで重ねパン片を切断する。切断刃の刃先の深さと上下ユニット連結部の内向き折れ部分の全開寸法との関係は、連結部を全開した全幅寸法の方が切断刃の刃先の深さより１．５ｃｍ以上長くなっている。
【考案の効果】
【０００６】本考案は、児童などを含む子供でも簡単にかつ安全に使用できる取扱い構造である。安価なコストで大数量の製作ができるので家庭内常備の台所用品として広く提供できる。朝食メニューの場合、パン食で言えばトースト又はサンドイッチなどとして食べられるのが一般的である。パンメーカー市販サイズのスライス片のトーストを食べるとした場合、調味料類例えばバターを全面に塗り付けたものを一口ずつ口に運んでいく、又は一口分ずつバターを部分塗してその部だけを食べていき、塗ると食べるのを繰り返していく。全面塗りは口周り、唇が汚れやすい。女性には不都合で不便である。部分塗は手間がかかる。パン屑が出る。食べ易い一口サイズに切断することによって上記のような不便は解消される。また、パン食の調味料類には食べる人の好みがあり多岐に分かれているので、パン片からこぼれ出やすいもの、流れ出やすいものも食べられる。このため、本考案はパン本来の生地の持つ弾力性によりパン片の形を壊さないように緩やかな半円形の調味料類受入れ用窪場を付作できるようにしたものである。凹凸面部の接圧によりパン片を壊すことはない。これにより、どのような調味料類であってもパン片から外へのこぼれ出や流れ落がないようにしたものである。また、パンメーカー市販のスライスサイズは、大人用サイズであり子供用サイズがないので、子供のいる家庭向けに提供出来る。
【図面の簡単な説明】
【０００７】
【図１】上側ユニットを示した正面図と下側ユニットを示した背面図である。正面図の裏面に切断刃と調味料類受入れ用窪場付作用のための緩やかな半円形の凸面部が２箇所ある透視図である。下側ユニットとは接合状態である。背面図は切断刃の刃先を収納する深さ分の固定箱型になっている。箱型の内側面は切断刃の収納する溝と、調味料類の受入れ用窪場付作用のための緩やかな半円形の凹面部が２箇所ある透視図である。上側ユニットとは接合状態である。
【図２】上下両側ユニットの連結部を示した左側面図と上側ユニットが開く方を示した右側面図である。左右両側面図とも固定箱型の下側ユニットとは接合状態である。
【図３】上下両側面図とも固定箱型になった下側ユニットと接合状態であることを示した上下側面図である。
【図４】内向き折れ式の連結部を全開に広げた上下両ユニットの内側面を示した内側全開平面図である。上側ユニットには、鋭角三角形の切断刃及び調味料類の受入れ用窪場付作用のための緩やかな半円形の凸面部が２箇所ある。下側ユニットは固定箱型で切断刃を収納する溝及び調味料類受入れ用窪場付作用のための緩やかな半円形の凹面部が２箇所ある。
【図５】内側面凸部横断面図Ａと内側面凹部横断面図Ｂである。凸部Ａは上側ユニットである。凹部Ｂは箱型の下側ユニットである。
【図６】外側全開平面図である。内向き折れ連結部を広げた上下両ユニットの外側面平面図の凹面窪場、切断刃を収納する溝のある下側ユニット平面図及び凸面窪場、切断刃がある上側ユニット平面図の各透視図である。
【図７】外側面凹部横断面図Ｃと外側面凸部横断面図Ｄである。
【図８】連結部を最大幅に広げた上下両ユニットの内側面を示した内側全開平面図である。上側ユニットの動きを示す。
【考案を実施するための形態】
【０００８】本考案は、スライスされた食パン又はトースト及びサンドイッチ用パン等のパン片を食べる直前において、食べ易い一口サイズに均等分割に切断し、該パン片毎に調味料類受入れ用窪場をパン片切断と同時に一回一手動接圧式により付作する器具であるが、該手動接圧用である切断刃が付いている方の上側ユニットの動きによってその工程について説明する。
【０００９】図８に基づいて以下説明する。切断するべきパン片等は、固定箱型の下側ユニットの内側面上に切断刃溝及び二つの凹面部に合うように平面に設置する（ａ）。次に、手動接圧用の上側ユニットは連結部を起点に切断するべきパン片等の上へそのままかぶせるように乗せていけば（ｂ，ｃ，ｄ，ｅ，ｆ，ｇ）、連結部の３箇所の各内向き折れ線が順次内向きに折れ重なっていき、パン片を接圧して切断する。上側ユニットは、下側ユニットとは連結部により常時、相互面の平行状態を保っことができる。また、サンドイッチのようにパン片を重ね合わせてパン片に厚みのある場合の切断方法は、切断パン片の厚み高さに見合うまで連結部の幅を広げて伸ばした状態で、上側ユニットと連結部の内向き折れ線を起点にして上側ユニットを直角の位置に曲げる、つまり下側ユニットとパン片に対しては平行になるので、そのまま手動で押下げていくと連結部の三か所の内向き折れ線が順次内折れ重なっていきパン片と接圧して切断する。
【符号の説明】
【００１０】１  上側ユニット外側面
２  上側ユニット内側面の切断刃
３  上側ユニット内側面の凸面部
４  下側ユニット箱型
５  連結部接着位置
６  下側ユニット外側面
７  下側ユニット内側面の切断刃収納溝
８  下側ユニット内側面の凹面部
９  連結部内向き折れ中心線
１０  連結部上側ユニットとの内向き折れ線
１１  連結部下側ユニットとの内向き折れ線
１２  下側ユニット内側面
１３  上側ユニット内側面
１４  上側ユニットと下側ユニットとのホックストッパー
１５  上側ユニットと下側ユニットとの連結部を完全に広げた最大幅
１６  上側ユニットと下側ユニットとの連結部を完全に広げ最大幅にした時の中央折れ線      位置
【図１】
0003188972.tif 000003
【図２】
0003188972.tif 000004
【図３】
0003188972.tif 000005
【図４】
0003188972.tif 000006
【図５】
0003188972.tif 000007
【図６】
0003188972.tif 000008
【図７】
0003188972.tif 000009
【図８】
0003188972.tif 000010
【手続補正書】
【提出日】平成25年9月6日(2013.9.6)
【手続補正１】
【補正対象書類名】実用新案登録請求の範囲
【補正対象項目名】請求項１
【補正方法】変更
【補正の内容】
【請求項１】
スライスされた食パン又はトースト及びサンドイッチ用等のパン片を摂食直前にあって、一口サイズに切断分けし該切断分けしたパン片に調味料類入れ込みくぼみを付加造作するために、該パン片を平面に設置する下側ユニット部及び手動で押し下げする上側ユニット部並びに上側ユニット部及び下側ユニット部を相互に平行状態を保ち接圧接合していくための折り畳み式連結部において、
１）上側ユニット部は手押下げ移動接圧側で、裏面に切断用刃及び調味料類入れ込みくぼみ付加造作用の２凸部面を形成し、
２）下側ユニット部は箱型で該パン片を平面に設置する固定側で、表面に切断刃収納溝及び調味料類入れ込みくぼみ付加造作用の２凹部面を形成し、
３）上記の上側ユニット部及び下側ユニット部は上側ユニット部を手動で押し下げ接圧と共に折り畳み式の連結部により上側ユニット部及び下側ユニット部は該パン片を挟んで相互に平行接合して該パン片を接圧し切断分けと調味料入れ込みくぼみを凹凸面接合により付加造作し、
以上、１）、２）、３）の構成からなるスライスされたパン片切断分けと調味料類入れ込みくぼみ付加造作器具に関する。
【手続補正書】
【提出日】平成25年11月19日(2013.11.19)
【手続補正１】
【補正対象書類名】実用新案登録請求の範囲
【補正対象項目名】全文
【補正方法】変更
【補正の内容】
【実用新案登録請求の範囲】
【請求項１】
スライスされた食パン又はトースト及びサンドイッチ用等のパン片を摂食直前にあって、一口サイズに切断分けし該切断分けしたパン片に調味料類入れ込みくぼみを付加造作するために、該パン片を平面に設置する下側ユニット部及び手動で押し下げる上側ユニット部並びに上側ユニット部及び下側ユニット部を相互に平行状態を保ち接圧接合していくための折り畳み式連結部において
１）上側ユニット部は手押し下げ移動接圧側で、裏面に切断用刃及び２つの調味料類入れ込みくぼみ付加造作用凸部面を形成し
２）下側ユニット部は箱型で該パン片を平面に設置する固定側で、表面に切断刃収納溝及び２つの調味料類入れ込みくぼみ付加造作用の凹部面を形成し
３）上記の上側ユニット部及び下側ユニット部は、上側ユニット部の裏面右側縁部及び下側ユニット部の表面左側縁部とで連結されており、該連結板部の全幅は切断刃の高さ以上の幅員を有し、上側ユニット部を手動で押し下げ接圧すると共に連結板部全幅の中央線部は外向き折れ、上側ユニット部は内向き折れ、下側ユニット部は内向き折れする折り畳み式連結板部の形状により、上側ユニット部及び下側ユニット部は相互に平行接合し、該パン片を接圧切断分けと調味料類入れ込みくぼみを凹凸面接合により付加造作するものであり
以上１）２）３）の構成からなるパン片切断分け及び調味料類入れ込みくぼみ付加造作することを特徴とする台所器具